(57)【要約】【課題】構成を簡素化、ユニット化することができるカメラの遮光機構、かかる遮光機構を備えたカメラを提供すること。【解決手段】カメラ１のミラーボックス４は、反射位置と退避位置とに回動するメインミラー９およびフレーム９１を備えたミラーユニット９０と、底面に開口するＡＦ検出ユニット２４用の開口部３３と、遮光ユニット３４とを備え、遮光ユニット３４は、親板３５と、親板３５に対して相対的に移動して開口部３３を開閉する遮光扉３６と、遮光扉３６を付勢するねじりコイルばね３８と、係合アーム３７とを備え、メインミラー９が反射位置に位置するときには、フレーム９１が係合アーム３７と係合して遮光扉３６の移動を拘束し、メインミラー９が退避位置に位置するときには、フレーム９１が係合アーム３７から脱離し、遮光扉３６は、ねじりコイルばね３８の付勢力によって移動する。【選択図】図２
2006139126.tif 000002
【特許請求の範囲】
【請求項１】
カメラに設けられる鏡箱と、
前記鏡箱の内部に収容され、撮影レンズからの光束を反射する反射位置と撮影レンズからの光束から退避した退避位置とに回動可能に設置されたミラーと、
前記鏡箱の壁面に設けられた開口部と、
前記開口部の少なくとも一部を開閉し得る遮光部材を備え、前記ミラーが前記退避位置に位置するときに、前記遮光部材により、前記開口部を介して前記鏡箱に入射される入射光のうちの少なくとも一部を遮光する遮光手段とを有し、
前記遮光手段は、前記ミラー自体の回動に起因して前記遮光部材の開閉動作を行うことを特徴とするカメラの遮光機構。
【請求項２】
前記遮光部材は、前記鏡箱の壁面に沿って移動する板状部材である請求項１に記載のカメラの遮光機構。
【請求項３】
前記ミラー側には、被係合部が設けられており、
前記遮光手段は、前記遮光部材を前記開口部を閉じる方向に付勢する付勢手段と、前記遮光部材側に設けられ、前記被係合部と係合し得る係合部とを有し、
前記ミラーが前記反射位置に位置するときには、前記係合部が前記被係合部に係合して前記開口部を開いた状態を保持して前記開口部を介して前記鏡箱に入射される入射光が前記鏡箱に入射し得る状態となり、前記ミラーが回動して前記反射位置から前記退避位置に移行するときには、前記係合部が前記被係合部から脱離して前記遮光部材が前記付勢手段により付勢されて前記開口部の一部または全部を閉じ、前記開口部を介して前記鏡箱に入射される入射光の一部または全部を遮光し、前記ミラーが回動して前記退避位置から前記反射位置に移行するときには、前記係合部が前記被係合部と係合して前記遮光部材を押圧して前記開口部を開いて前記入射光が前記鏡箱に入射し得る状態となるよう構成されている請求項１または２に記載のカメラの遮光機構。
【請求項４】
前記被係合部は、前記ミラーの回動中心の反対側の端部側に設けられている請求項３に記載のカメラの遮光機構。
【請求項５】
前記係合部は、円板部材または円柱部材であり、前記被係合部は前記係合部の周面を当接させる当接面を介して前記係合部と係合する請求項３または４に記載のカメラの遮光機構。
【請求項６】
前記遮光手段は、前記遮光部材から突出する突出部を有し、前記突出部の端部に前記係合部が設けられている請求項３ないし５のいずれかに記載のカメラの遮光機構。
【請求項７】
前記付勢手段はバネである請求項３ないし６のいずれかに記載のカメラの遮光機構。
【請求項８】
前記開口部は前記鏡箱の底面において開口する請求項１ないし７のいずれかに記載のカメラの遮光機構。
【請求項９】
前記鏡箱の外部に設けられた外部装置を有し、
前記入射光は、前記外部装置において反射した反射光である請求項１ないし８のいずれかに記載のカメラの遮光機構。
【請求項１０】
前記外部装置はオートフォーカス用の検出器である請求項９に記載のカメラの遮光機構。
【請求項１１】
請求項１ないし１０のいずれかに記載のカメラの遮光機構を備えたことを特徴とするカメラ。
【発明の詳細な説明】
【技術分野】
【０００１】
本発明は、カメラの遮光機構およびカメラに関する。
【背景技術】
【０００２】
一眼レフカメラは、撮影レンズの光軸上に配置された筐体状のミラーボックス（鏡箱）を有する。このミラーボックス内には撮影レンズからの光束（以下「撮影光束」という）をミラーボックスの上部に配置されたペンタプリズムへ反射させるメインミラーが配置されるが、この他にも種々の部材がミラーボックス内に配置される。また、ミラーボックスの下側に開口部が設けられており、ＡＦ（Auto Focus）検出ユニットは、開口部を介してその下部（外部）に配置される。
【０００３】
画像の撮影時、メインミラーは回動してミラーボックスの上部に退避して撮影光束をミラーボックスの後部に配置されたＣＣＤパッケージの結像面や感光フィルムに入射させる（例えば、特許文献１参照）。このとき、ＣＣＤパッケージの結像面などから拡散反射した撮影光束の一部が、ミラーボックス内外に配置された他の装置によりさらに反射されてＣＣＤパッケージの結像面に再入射することがある。特に、ＡＦ検出ユニットはミラーやレンズなどの反射性部材で構成されるために拡散反射した撮影光束の一部を反射し易い。このような反射光が結像面において結像されると撮影画像にゴーストが発生する。
【０００４】
近年、該ゴーストの発生を防止するために、図８に示すように、ＡＦ検出ユニット８１の集光レンズ８２などからＣＣＤパッケージのＣＣＤ結像面８３などに向けて反射される反射光ＲＬを遮光（遮断）する遮蔽板（遮光板）８４をミラーボックス８５内に備えるカメラが開発されている。この遮蔽板８４は開閉自在に構成され、非撮影時には開放されてＡＦのためにサブミラーから反射された光をＡＦ検出ユニットに入射させ、撮影時には閉鎖されて反射光ＲＬを遮光する。また、遮蔽板８４には、メインミラーを駆動するミラー駆動機構からリンク機構を介して駆動力が伝達される。
【０００５】
しかしながら、該リンク機構は構成が複雑であるため組み立てが容易でないという問題がある。また、該リンク機構はミラーボックスの側方外部に配置されたミラー駆動機構からミラーボックスの内部に配置された遮蔽板８４に駆動力を伝達するため、ミラーボックスの側壁などに開口部を設ける必要があるが、該開口部よりミラーボックス内へゴミなどが侵入するという問題がある。このようなゴミはＣＣＤパッケージの結像面８３などに付着して画像の品質を低下させる。
【０００６】
【特許文献１】特開２０００−７５４０２号公報
【発明の開示】
【発明が解決しようとする課題】
【０００７】
本発明の目的は、構成を簡素化、ユニット化することができるカメラの遮光機構、かかる遮光機構を備えたカメラを提供することにある。
【課題を解決するための手段】
【０００８】
このような目的は、下記（１）〜（１１）の本発明により達成される。
（１）  カメラに設けられる鏡箱と、
前記鏡箱の内部に収容され、撮影レンズからの光束を反射する反射位置と撮影レンズからの光束から退避した退避位置とに回動可能に設置されたミラーと、
前記鏡箱の壁面に設けられた開口部と、
前記開口部の少なくとも一部を開閉し得る遮光部材を備え、前記ミラーが前記退避位置に位置するときに、前記遮光部材により、前記開口部を介して前記鏡箱に入射される入射光のうちの少なくとも一部を遮光する遮光手段とを有し、
前記遮光手段は、前記ミラー自体の回動に起因して前記遮光部材の開閉動作を行うことを特徴とするカメラの遮光機構。
【０００９】
これにより、例えば、鏡箱の外部等に配置された駆動機構から駆動力を遮光部材に伝達するリンク機構が不要となるので、遮光機構の構成の簡素化、ユニット化が図れる。また、鏡箱にリンク機構用の開口部を設ける必要が無くなるので、鏡箱内へのゴミの侵入を防止できる。
【００１０】
（２）  前記遮光部材は、前記鏡箱の壁面に沿って移動する板状部材である上記（１）に記載のカメラの遮光機構。
【００１１】
これにより、鏡箱内の空間をほとんど占拠することがないので、カメラの遮光機構の配置の自由度を向上することができる。
【００１２】
（３）  前記ミラー側には、被係合部が設けられており、
前記遮光手段は、前記遮光部材を前記開口部を閉じる方向に付勢する付勢手段と、前記遮光部材側に設けられ、前記被係合部と係合し得る係合部とを有し、
前記ミラーが前記反射位置に位置するときには、前記係合部が前記被係合部に係合して前記開口部を開いた状態を保持して前記開口部を介して前記鏡箱に入射される入射光が前記鏡箱に入射し得る状態となり、前記ミラーが回動して前記反射位置から前記退避位置に移行するときには、前記係合部が前記被係合部から脱離して前記遮光部材が前記付勢手段により付勢されて前記開口部の一部または全部を閉じ、前記開口部を介して前記鏡箱に入射される入射光の一部または全部を遮光し、前記ミラーが回動して前記退避位置から前記反射位置に移行するときには、前記係合部が前記被係合部と係合して前記遮光部材を押圧して前記開口部を開いて前記入射光が前記鏡箱に入射し得る状態となるよう構成されている上記（１）または（２）に記載のカメラの遮光機構。
これにより、カメラの遮光機構の構成を簡易なものとすることができる。
【００１３】
（４）  前記被係合部は、前記ミラーの回動中心の反対側の端部側に設けられている上記（３）に記載のカメラの遮光機構。
【００１４】
これにより、遮光部材の開閉のストローク（変位量）を大きくとることができる。また、遮光機構の構成を簡易なものとすることができる。
【００１５】
（５）  前記係合部は、円板部材または円柱部材であり、前記被係合部は前記係合部の周面を当接させる当接面を介して前記係合部と係合する上記（３）または（４）に記載のカメラの遮光機構。
【００１６】
これにより、係合部と被係合部の係合・脱離を円滑に行うことができ、遮光部材の開閉動作を円滑に行うことができるとともに、異音の発生を防止することができる。
【００１７】
（６）  前記遮光手段は、前記遮光部材から突出する突出部を有し、前記突出部の端部に前記係合部が設けられている上記（３）ないし（５）のいずれかに記載のカメラの遮光機構。
これにより、係合部と被係合部との係合・脱離をより円滑に行うことができる。
【００１８】
（７）  前記付勢手段はバネである上記（３）ないし（６）のいずれかに記載のカメラの遮光機構。
【００１９】
これにより、遮光部材への付勢をより簡素な構造で実現することができるので、カメラの遮光機構の構成をさらに簡素にすることができる。
【００２０】
（８）  前記開口部は前記鏡箱の底面において開口する上記（１）ないし（７）のいずれかに記載のカメラの遮光機構。
【００２１】
これにより、一眼レフカメラにおいて通常底面に配置されることが多い外部機器からの反射光の遮光を確実に行うことができる。
【００２２】
（９）  前記鏡箱の外部に設けられた外部装置を有し、
前記入射光は、前記外部装置において反射した反射光である上記（１）ないし（８）のいずれかに記載のカメラの遮光機構。
【００２３】
これにより、鏡箱の外部からの反射光（入射光）を遮光することができ、ゴーストの発生を効率よく防止することができる。
【００２４】
（１０）  前記外部装置はオートフォーカス用の検出器である上記（９）に記載のカメラの遮光機構。
【００２５】
これにより、反射光を反射し易いオートフォーカス用の検出器からの反射光を遮光することができ、ゴーストの発生を効率よく防止することができる。
【００２６】
（１１）  上記（１）ないし（１０）のいずれかに記載のカメラの遮光機構を備えたことを特徴とするカメラ。
【００２７】
これにより、例えば、鏡箱の外部等に配置された駆動機構から駆動力を遮光部材に伝達するリンク機構が不要となるので、遮光機構の構成の簡素化、ユニット化が図れ、また、組み立て、分解を容易に行うことができ、かつ、鏡箱にリンク機構用の開口部を設ける必要が無くなるので、鏡箱内へのゴミの侵入を防止できるカメラを提供することができる。
【発明の効果】
【００２８】
本発明によれば、遮光機構を鏡箱に内蔵するとともに、遮光機構の遮光部材の開閉動作をミラー自体の回動に起因して行うことにより、例えば、鏡箱の外部に配置されるミラーの駆動機構等からリンク機構を介して遮光部材へ駆動力を伝達する必要を無くすことができる。これにより、遮光機構の構成の簡素化、ユニット化が図れる。さらに、リンク機構が必要無く、リンク機構を導く開口部をミラーボックスに設ける必要を無くすことができる。このようなことから、カメラの遮光機構およびカメラの組み立て、分解を容易に行うことができるとともに、鏡箱内へのゴミの侵入を防止できる。
【発明を実施するための最良の形態】
【００２９】
以下、本発明のカメラの遮光機構およびカメラを添付図面に示す好適実施形態に基づいて詳細に説明する。
【００３０】
図１は、本発明のカメラの実施形態を示す斜視図、図２は、図１に示すカメラの内部構造を示す横断面図である。
【００３１】
これらの図に示すカメラ１は、遮光機構を有するカメラボディ２と、このカメラボディ２に対し着脱自在な撮影レンズ（図示せず）とで構成されるレンズ交換式一眼レフ電子カメラである。カメラボディ２の正面には、撮影レンズを着脱自在に取り付けるためのマウント部３が設けられている。
【００３２】
カメラボディ２は、光軸Ａｘに沿って正面側（図２中右側）より順に配置されたマウント部３と、筐体状のミラーボックス（鏡箱）４と、シャッターユニット５と、撮像ユニット６とを備える。また、マウント部３には撮影レンズが取り付けられるため、撮影レンズも、ミラーボックス４ないし撮像ユニット６と同様に光軸Ａｘに沿って配置される。
【００３３】
ここで、マウント部３の撮影レンズ取り付け面から撮像ユニット６におけるＣＣＤ結像面８までの距離（光学的な距離）（フランジバック）は、銀塩カメラにおける撮影レンズマウント面から撮影フィルム面までの距離（光学的な距離）と同じである。また、シャッターユニット５および撮像ユニット６は所定のクリアランスを保って配置される。
【００３４】
ミラーボックス４内部には、ミラーユニット９０が設けられている。ミラーユニット９０は、メインミラー９と、メインミラー９を保持するフレーム（ミラーシート）９１と、メインミラー９の背面側に設けられたサブミラー１２とを有している。また、メインミラー９（ミラーユニット９０）は、その上端部付近に設けられた回転軸１０を中心として回動可能に設置されており、図２に示す反射位置と、後述の図７に示す、ミラーボックス４の内壁上面１１に沿って光軸Ａｘに対して略平行となる退避位置との間で回動する。メインミラー９は、モータドライバ（図示せず）を介して駆動されるミラーモータ（図示せず）の駆動力により動作する。
【００３５】
メインミラー９が反射位置に配置されている場合、撮影レンズを透過してカメラボディ２内に入射した光束（被写体光）は、その大部分がメインミラー９において反射し、ミラーボックス４の内壁上面１１に配置された焦点板（図示せず）、さらにはペンタプリズム（図示せず）に入射する。また、メインミラー９の一部は、ハーフミラーとなっており、撮影レンズからの光束の一部ＰＬは、メインミラー９を透過し、サブミラー１２により下方に反射されて後述のＡＦ（オートフォーカス）検出ユニット（外部装置）２４に入射する。
【００３６】
ＡＦ検出ユニット２４は、サブミラー１２により反射された一部の光束ＰＬを集光する集光レンズ３０と、該集光レンズ３０により集光された光束ＰＬを受光するＣＣＤセンサ３１と、集光レンズ３０からの光束ＰＬをＣＣＤセンサ３１に向けて反射する反射ミラー３２とを備え、ミラーボックス４の下側の外部に配置される。ＡＦ検出ユニット２４は、ＣＣＤセンサ３１によって受光された光束ＰＬに基づいて焦点が合っているか否かを検出する。
【００３７】
ミラーボックス４の底面においてＡＦ検出ユニット２４の集光レンズ３０と対向する部分には開口部３３が設けられ、これにより、集光レンズ３０は開口部３３を介して、光束ＰＬを受光する。
【００３８】
メインミラー９が退避位置に配置されている場合、メインミラー９は、撮影レンズからの光束の光路から退避した状態になっており、撮影レンズからの光束は、メインミラー９にて反射されることなく、シャッターユニット５および撮像ユニット６に入射し得る。
【００３９】
シャッターユニット５は、いわゆるフォーカルプレーンシャッタであり、撮像ユニット６のＣＣＤ結像面８に対面するように設置されている。シャッターユニット５は、先幕および後幕を有し、露出時には、先幕と後幕との間に形成される任意の間隔を持つスリットを所定の速度でＣＣＤ結像面８の前を横切るように移動させることにより、撮影レンズからの光束をＣＣＤ結像面８に到達させる。このシャッターユニット５は、シャッタ駆動回路（図示せず）により駆動される。
【００４０】
図２に示すように、撮像ユニット６は、長方形の浅い凹部を有するケーシング２５と、ケーシング２５の凹部内に設置された平板状のＣＣＤ２６と、ケーシング２５の凹部の開口を覆うように設置された赤外カットフィルタ（赤外線吸収フィルター）２７と、赤外カットフィルタ２７の正面側に設置されたローパスフィルタ２８とで構成されており、ローパスフィルタ２８の外表面が受光面２９になっている。
【００４１】
赤外カットフィルタ２７は、撮影レンズからの被写体光の中から赤外波長成分を除去し、撮像ユニット６が人間の目に見えない赤外光を受光してしまうのを防止する。また、ローパスフィルタ２８は、被写体光の空間周波数の中から、ＣＣＤ２６の画素間隔で決まる標本化空間周波数に近い空間周波数成分を低減させることにより、被写体の画像データに偽色（モアレ）が生じるのを防止する。
【００４２】
この撮像ユニット６は、その受光面２９がマウント部３に装着された撮影レンズの光軸Ａｘに対し略垂直になるように設置されている。そして、光軸Ａｘは、撮像ユニット６の撮像領域の中心に合致する。
【００４３】
従来のカメラでは、例えば撮影時などに、撮像ユニット６の受光面２９から拡散反射した撮影光束の一部が、開口部３３を介して集光レンズ３０に入射し、集光レンズ３０よりさらに反射されて撮像ユニット６のＣＣＤ結像面８に再入射し、再び結像してゴースト（正規の像の他に生じた意図しない像）が発生することがある。これに対して、本実施形態のカメラ１では、メインミラー９が、退避位置に位置するときにミラーボックス４内への集光レンズ３０からの反射光を遮光する遮光手段（後述）を備えた遮光ユニット３４が配置される。
【００４４】
この遮光ユニット３４は、図示されない固定手段を用いてミラーボックス４内部に設置される。
【００４５】
図３は、図２のミラーボックス内に配置される遮光ユニットを示す図であり、図３（Ａ）は遮光ユニットを斜め下方から眺めた斜視図であり、図３（Ｂ）は遮光ユニットの正面図である。なお、図３（Ａ）中の矢印はカメラ１の正面側を表し、図３（Ａ）の手前方向を「下方」、奥行き方向を「上方」という。
【００４６】
図４は、ミラーユニットと遮光ユニットとの関係を説明する図であり、図４（Ａ）はミラーユニットおよび遮光ユニットの側面図であり、図４（Ｂ）はミラーユニットが遮光ユニットを押圧している場合の後方斜視図であり、図４（Ｃ）はミラーユニットが遮光ユニットへの押圧力を解除した場合の後方斜視図である。なお、各図の右側が正面側に対応し、各図において遮光ユニット３４を構成する構成要素のうち上記手順の説明に不用なものは省略されている。
【００４７】
図３に示すように、遮光ユニット３４は、板状をなす親板３５と、遮光扉（遮光部材）３６と、親板３５および遮光扉３６の、それぞれに係合するねじりコイルばね（付勢手段）３８とを備えている。
【００４８】
親板３５は、脇部３５ａ、３５ｂと、開口部３５ｆ、３５ｆが、それぞれ設けられた段差部３５ｇ、３５ｇと、段差部３５ｇ、３５ｇを介して脇部３５ａ、３５ｂに対して一段高く（上方へ）設定された中央部３５ｃとを有している。
【００４９】
遮光扉３６は、脇部３５ａ、３５ｂに対して中央部３５ｃが一段高く設定されることによって形成された空間に収容されている。
親板３５の中央部３５ｃには、その一部に開放部（開口部）３５ｄが形成されている。
【００５０】
ねじりコイルばね３８は、一周以上の巻回しがあるコイルばねであり、コイル部３８ａと、コイル部３８ａの両端からそれぞれ延設された足部３８ｂ、３８ｃとを有する。
【００５１】
また、遮光ユニット３４は、遮光扉３６の一部から、親板３５の脇部３５ａ側の開口部３５ｆを貫通し、さらに上方へ屈曲して脇部３５ａより上方かつ正面側へ突出する係合アーム（突出部）３７を有する。本実施形態では、遮光扉３６と係合アーム３７とは一体的に形成されている。
【００５２】
また、遮光扉３６は、図中矢印方向（光軸Ａｘ方向）に沿って沿設された長穴３６ａを有し、扉ガイドピン３９ａ、３９ｂが長穴３６ａを介して親板３５に固定される。ここで、扉ガイドピン３９ａ、３９ｂは長穴３６ａの幅より大きい直径のフランジ部を有するので、遮光扉３６の親板３５に対する上下方向の移動を規制する。また、遮光扉３６が、親板３５から外れて（離脱して）しまうことを防止することができる。一方、長穴３６ａの長手方向の長さは扉ガイドピン３９ａ、３９ｂのピン径よりも大きいため、遮光扉３６は親板３５に対して長穴３６ａの長手方向、すなわち、光軸Ａｘ方向に移動（滑動）自在である。
【００５３】
親板３５の中央部３５ｃにおける図３中矢印の反対方向（背面側）の端部には下方に突出したねじりコイルばね係合部３５ｅが設けられ、遮光扉３６の長穴３６ａの図中矢印の反対方向（背面側）の端部には、下方に突出したばね係合部３６ｂが設けられる。ねじりコイルばね３８は、ばね固定ピン４０がコイル部３８ａを介して親板３５に固定されることにより、親板３５に固定され、さらに、足部３８ｂが遮光扉３６のねじりコイルばね係合部３６ｂに係合されるとともに、足部３８ｃが親板３５のねじりコイルばね係合部３５ｅに係合される。したがって、ねじりコイルばね３８は、遮光扉３６を図３中矢印方向に移動させるように、遮光扉３６を付勢する。
【００５４】
また、係合アーム３７の上方端部には摺動ピン（係合部）４１が設けられている（固定されている）。摺動ピン４１は、厚み（周面）を有する円板状をなしており、係合アーム３７に、係合アーム３７と平行な姿勢（係合アームの移動方向と摺動ピン４１とが平行となるような姿勢）で軸４１１で支持されている。なお、摺動ピン４１は、円板状に限られず、円柱状であってもよい。また、摺動ピン４１は、係合アーム３７に対して正逆両方向に回転可能に設置されていてもよい。
【００５５】
図４に示すように、ミラーユニット９０は、フレーム９１の下端（メインミラー９の回動中心の反対側の端部側）における背面側に摺動ピン被係合部４２を有する。摺動ピン被係合部４２は、逆「く」の字をなす摺動面（当接面）を備える。
【００５６】
また、遮光ユニット３４は、開放部３５ｄが開口部３３に対向するようにミラーボックス４内の底面に配置され、さらに、係合アーム３７が上方かつ正面側へ突出する。また、遮光ユニット３４がミラーボックス４内の底面に配置されるため、遮光扉３６はミラーボックス４の光軸Ａｘ方向に図２中下側内面に沿って移動する。
【００５７】
遮光扉３６、係合アーム３７、ねじりコイルばね３８および係合部４１により本実施形態の遮光手段の主要部が構成される。また、ミラーボックス４と、ミラーユニット９０（メインミラー９）と、開口部３３と、遮光手段によりカメラ１の遮光機構の主要部が構成される。
【００５８】
次に、カメラ１の遮光機構の作用について撮影時を例に挙げて説明する。
図５は、ミラーが反射位置に位置するときの遮光ユニットを示す図であり、図５（Ａ）は遮光ユニットを上方から眺めた平面図であり、図５（Ｂ）は遮光ユニットを下方から眺めた平面図である。また、図６は、ミラーユニットが退避位置に位置するときの遮光ユニットを示す図であり、図６（Ａ）は遮光ユニットを上方から眺めた平面図であり、図６（Ｂ）は遮光ユニットを下方から眺めた平面図である。また、図７は、撮影時における図１のカメラの内部構造を示す横断面図である。なお、図５（Ａ）および図６（Ａ）の下方が正面側に対応し、図５（Ｂ）および図６（Ｂ）の上方が正面側に対応する。
【００５９】
まず、非撮影時（撮影前）には、ミラーユニット９０（メインミラー９）が反射位置に位置しており、図４（Ｂ）に示すように、係合アーム３７の摺動ピン４１が上記摺動ピン被係合部４２と係合する。具体的には摺動ピン４１の周面（側面）と摺動ピン被係合部４２の当接面とが係合する。この状態において、ミラーユニット９０は、係合アーム３７を正面側とは反対側（背面側）へ押圧しており、遮光扉３６は、ねじりコイルばね３８の付勢力に抗して、その長穴３６ａの正面側端部が扉ガイドピン３９ａと当接するまで背面側へ移動する。これにより、図５（Ａ）、（Ｂ）に示すように、開放部３５ｄが開口し、ミラーボックス４の開口部３３が開いた状態を保持する。この状態では、ＡＦ検出ユニット２４の集光レンズ３０は、光束ＰＬの受光が可能となる。また、このとき、ねじりコイルばね３８は、コイル部３８ａが変形するため圧縮状態とされ、遮光扉３６を正面側へ付勢する。
【００６０】
撮影時には、ミラーユニット９０（メインミラー９）が回動して前記反射位置から退避位置に移行して、図４（ｃ）に示すように、摺動ピン４１の周面が摺動ピン被係合部４２の当接面から脱離する。これにより、係合部４１の係合が外れ、圧縮されていたねじりコイルばね３８の弾性力により、遮光扉３６が、その長穴３６ａの背面側端部が扉ガイドピン３９ｂと当接するまで正面側へ移動する。これにより、開放部３５ｄが閉鎖され、ミラーボックス４の開口部３３の一部が閉じられる。これにより、図７に示すように、遮光扉３６は、ＡＦ検出ユニット２４の集光レンズ３０から開口部３３を介してミラーボックス４に入射される反射光ＲＬを遮光する。
【００６１】
そして、撮影時から非撮影時に移行するときには、ミラーユニット９０（メインミラー９）が、退避位置から反射位置へ回動することによって、摺動ピン４１の周面と摺動ピン被係合部４２の当接面とが係合して、遮光扉３６を図４（Ａ）中左側に押圧する。これにより、開放部３５ｄが開口し、開口部３３を開く。この状態では、ＡＦ検出ユニット２４の集光レンズ３０は、光束ＰＬの受光が可能となる。
【００６２】
以上説明したように、カメラ１によれば、遮光ユニット３４は、メインミラー９自体の回動に起因して遮光扉３６の開閉動作を行うことによって、開放部３５ｄの開放・閉鎖を行う。すなわち、メインミラー９が直接、遮光扉３６の開閉を行う。
【００６３】
また、遮光ユニット３４は独立したユニットであるので構成の簡素化が図れ、また、ミラーボックス４の形状、機能などに関わらず、それ自体を独立して組み立て、分解することができるため、遮光ユニット３４の組み立て、分解、引いてはカメラ１の組み立て、分解を容易に行うことができる。
【００６４】
また、例えば、ミラーボックス４の外部に配置されたミラーモータなどから駆動力を遮光扉３６に伝達するリンク機構が不要となるので、別途ミラーボックス４にリンク機構用の開口部を設ける必要が無くなり、ミラーボックス４内へのゴミの侵入を防止でき、また、カメラ１の設計の自由度を向上することができる。
【００６５】
また、遮光ユニット３４がミラーボックス４内の底面に配置され、遮光扉３６はミラーボックス４の下側内面に沿って移動するので、遮光扉３６はミラーボックス４内の空間をほとんど占拠することがなく、遮光ユニット３４の配置の自由度を向上することができる。
【００６６】
また、摺動ピン被係合部４２は当接面を有するので、摺動ピン４１の周面を該当接面に当接（摺動）させて摺動ピン４１と摺動ピン被係合部４２の係合・脱離を円滑に行うことができ、遮光扉３６による開放部３５ｄの開閉動作を円滑に行うことができる。さらに、摺動ピン４１と摺動ピン被係合部４２との衝突等により発生する異音の発生を防止することができる。
【００６７】
また、ねじりコイルばね３８により遮光扉３６を付勢するので、遮光ユニット３４の構成を簡素にすることができる。
【００６８】
なお、本実施形態では、メインミラー９が回動して反射位置から退避位置に移行するときに、遮光扉３６はミラーボックス４の開口部３３の一部を閉じるよう構成されているが、開口部３３を全部覆うよう構成されていてもよい。すなわち、メインミラー９が回動して反射位置から退避位置に移行するときに、遮光扉３６が開口部３３を介してミラーボックス４に入射される反射光ＲＬを遮光するよう構成されていればよい。
【００６９】
以上、本発明のカメラの遮光機構およびカメラを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００７０】
例えば、上述したカメラ１では、外部機器（ＡＦ検出ユニット２４）用の開口部３３は、ＡＦ検出ユニット２４の配置位置に対応してミラーボックス４の底面に設けられたが、ミラーボックス４の底面以外（側面、上面）に開口する開口部であってもよい。また開口部の個数および開口部に対して配置される遮光ユニットの個数についても特に限定されない。
【００７１】
また、上述した遮光ユニット３４が適用されるカメラ１は、一眼レフ電子カメラであったが、遮光ユニット３４が適用されるカメラはこれに限られず、例えば、銀塩カメラなどに遮光ユニット３４を適用してもよい。
【００７２】
さらに、遮光扉３６の開閉動作の移動距離（ストローク）は、係合アーム３７や摺動ピン被係合部４２の形状を変更することによって任意の移動距離に設定することができる。
【００７３】
また、本発明のカメラの遮光機構は、カメラの撮影時に限らず、ミラーが反射位置と退避位置との間で回動する際に作動する。
【図面の簡単な説明】
【００７４】
【図１】本発明のカメラの実施形態を示す斜視図である。
【図２】図１に示すカメラの内部構造を示す横断面図である。
【図３】図２のミラーボックス内に配置される遮光ユニットを示す図であり、（Ａ）は遮光ユニットを斜め下方から眺めた斜視図であり、（Ｂ）は遮光ユニットの正面図である。
【図４】メインミラーと遮光ユニットとの関係を説明する図であり、（Ａ）はミラーユニットおよび遮光ユニットの側面図であり、（Ｂ）はミラーユニットが遮光ユニットを押圧している場合の後方斜視図であり、（Ｃ）はミラーユニットが遮光ユニットへの押圧力を解除した場合の後方斜視図である。
【図５】ミラーが反射位置に位置するときの遮光ユニットを示す図であり、（Ａ）は遮光ユニットを上方から眺めた平面図であり、（Ｂ）は遮光ユニットを下方から眺めた平面図である。
【図６】ミラーが退避位置に位置するときの遮光ユニットを示す図であり、（Ａ）は遮光ユニットを上方から眺めた平面図であり、（Ｂ）は遮光ユニットを下方から眺めた平面図である。
【図７】撮影時における図１のカメラの内部構造を示す横断面図である。
【図８】従来のゴースト発生防止機構を備えるカメラの内部構造を示す横断面図である。
【符号の説明】
【００７５】
Ａｘ            光軸
１              カメラ
２              カメラボディ
３              マウント部
４、８５        ミラーボックス
５              シャッターユニット
６              撮像ユニット
８、８３        ＣＣＤ結像面
９              メインミラー
９０            ミラーユニット
９１            フレーム
１０            回転軸
１１            内壁上面
１２            サブミラー
２４、８１      ＡＦ検出ユニット
２５            ケーシング
２６            ＣＣＤ
２７            赤外カットフィルタ
２８            ローパスフィルタ
２９            受光面
３０、８２      集光レンズ
３１            ＣＣＤセンサ
３２            反射ミラー
３３            開口部
３４            遮光ユニット
３５            親板
３５ａ、３５ｂ  脇部
３５ｃ          中央部
３５ｄ          開放部（開口部）
３５ｅ、３６ｂ  ねじりコイルばね係合部
３５ｆ          開口部
３５ｇ          段差部
３６            遮光扉
３６ａ          長穴
３７            係合アーム（突出部）
３８            ねじりコイルばね
３８ａ          コイル部
３８ｂ、３８ｃ  足部
３９ａ、３９ｂ  扉ガイドピン
４０            ばね固定ピン
４１            摺動ピン（係合部）
４１１          軸
４２            摺動ピン被係合部
８４            遮蔽板
【図１】
2006139126.tif 000003
【図２】
2006139126.tif 000004
【図３】
2006139126.tif 000005
【図４】
2006139126.tif 000006
【図５】
2006139126.tif 000007
【図６】
2006139126.tif 000008
【図７】
2006139126.tif 000009
【図８】
2006139126.tif 000010